(57)【要約】      （修正有）【課題】製造効率の高いバックロードホーン型スピーカボックスの製造方法およびバックロードホーン型スピーカボックスを提供する。【解決手段】バックロードホーン型スピーカボックス１の製造方法は、開口部１２ａが設けられるとともに内部に音室１１が設けられ開口部１１ａに装着されたスピーカ１３を支持するスピーカ支持部１４２と、開口部１２ａが設けられるとともに内部に音道が設けられ前記スピーカ支持部と連続一体に形成された本体部１４１と、を備えるバックロードホーン型スピーカボックス１の製造方法で会って、スピーカ支持部１４２および本体部１４１を仮想平面ＶＰＬ１で分割したときの一方に相当する第１基材を形成する工程と、スピーカ支持部１４２および本体部１４１を仮想平面で分割したときの他方に相当する第２基材を形成する工程と、第１基材と第２基材とを貼り合わせる工程と、を含む。【選択図】図２
2020195133.tif 000002
【特許請求の範囲】
【請求項１】
第１開口部が設けられるとともに内部に音室が設けられ前記第１開口部に装着されたスピーカを支持するスピーカ支持部と、第２開口部が設けられるとともに内部に音道が設けられ前記スピーカ支持部と連続一体に形成された本体部と、を備え、前記音道の中心軸が１つの仮想平面内に位置するバックロードホーン型スピーカボックスの製造方法であって、
前記スピーカ支持部および前記本体部を前記仮想平面で分割したときの一方に相当する第１基材を形成する工程と、
前記スピーカ支持部および前記本体部を前記仮想平面で分割したときの他方に相当する第２基材を形成する工程と、
前記第１基材と前記第２基材とを貼り合わせる工程と、を含む、
バックロードホーン型スピーカボックスの製造方法。
【請求項２】
第１開口部に装着されたスピーカが内側に配置される音室と、前記音室に連通し前記スピーカから前記音室内に伝達した音を前記第１開口部とは異なる第２開口部へ導く音道と、が設けられ、
前記音道は、
前記音室側に延在し延長方向に直交する断面の形状が実質的に一定である第１サブ音道と、
蛇行する形で延在し、延長方向における一端部で前記第１サブ音道に連通し他端部で前記第２開口部に連通するとともに、前記一端部から前記他端部に向けて前記延長方向に直交する断面の面積が漸増する第２サブ音道と、を有し、
前記第２サブ音道の内壁の少なくとも一部は、前記第２サブ音道の中心軸の延長方向に沿って湾曲し、
前記第１サブ音道の前記延長方向に直交する断面の形状および前記第２サブ音道の前記延長方向に直交する断面の形状は、楕円形状である、
バックロードホーン型スピーカボックス。
【請求項３】
前記第２サブ音道の前記延長方向の少なくとも２箇所における前記延長方向に直交する断面の形状は、互いに異なる、
請求項２に記載のバックロードホーン型スピーカボックス。
【請求項４】
前記第１開口部が設けられるとともに内部に前記音室が設けられ前記第１開口部に装着された前記スピーカを支持するスピーカ支持部と、
前記第２開口部が設けられるとともに内部に前記音道が設けられ前記スピーカ支持部と連続一体に形成された本体部と、を備え、
前記スピーカ支持部および前記本体部それぞれの外壁は、互いに連続する湾曲面を有する、
請求項２または３に記載のバックロードホーン型スピーカボックス。
【請求項５】
第１開口部が設けられるとともに内部に音室が設けられ前記第１開口部に装着されたスピーカを支持するスピーカ支持部と、
内部に前記音室に連通し前記スピーカから前記音室内に伝達した音が導入される第１音道が設けられ、前記スピーカ支持部と連続一体に形成された本体部と、
長尺であり長手方向の一端部が前記本体部に接続されるとともに、他端部に第２開口部が設けられ、内部に前記一端部において前記第１音道に連通し他端部が前記第２開口部に連通し、前記第１音道から伝達した音を前記第２開口部へ導く第２音道が設けられたホーン部と、を備え、
前記第１音道は、
前記音室側に延在し延長方向に直交する断面の形状が実質的に一定である第１サブ音道と、
蛇行する形で延在し、延長方向における一端部で前記第１サブ音道に連通し他端部で前記第２音道に連通するとともに、前記一端部から前記他端部に向けて前記延長方向に直交する断面の面積が漸増する第２サブ音道と、を有し、
前記第２サブ音道の内壁の少なくとも一部は、前記第２サブ音道の中心軸の延長方向に沿って湾曲し、
前記第１サブ音道の前記延長方向に直交する断面の形状および前記第２サブ音道の前記延長方向に直交する断面の形状は、楕円形状であり、
前記第２音道は、前記本体部側から前記第２開口部側に向けて前記第２音道の延長方向に直交する断面の面積が漸増している、
バックロードホーン型スピーカボックス。
【請求項６】
前記スピーカ支持部および前記本体部は、それぞれ、多孔質であるとともに、比重が１．７以上２．０以下である材料から形成されている、
請求項４または５に記載のバックロードホーン型スピーカボックス。
【発明の詳細な説明】
【技術分野】
【０００１】
本発明は、バックロードホーン型スピーカボックスの製造方法およびバックロードホーン型スピーカボックスに関する。
【背景技術】
【０００２】
スピーカシステムは、スピーカをスピーカボックスに設置して構成される。スピーカの発する低・中音域の音を前方へ効率良く放射させるスピーカボックスとしてバックロードホーン型スピーカボックスが提供されている。バックロードホーン型スピーカは、スピーカの前面から出る音と、スピーカの背面から出る音を特殊な音道で前面に導き、両方の音を加算して再生音とするものである。一般的な小型フルレンジ高能率スピーカーユニットは、低・中音、特に低音域の音圧レベルが中・高音域に比べて相対的に低くなってしまう。これに対して、バックロードホーン型スピーカボックスの場合、音道の存在により低・中音域の音を良好に再生することができるので、広帯域再生が可能となり、ユーザにクリア且つ自然な音（原音再生）を提供することができる。
【０００３】
この種のバックロードホーン型スピーカボックスとして、２枚の側板と、２枚の側板の間に介設される複数の中間板と、を有し、内部に屈曲した音道を有する本体を備えるバックロードホーン型スピーカボックスが提案されている（例えば、特許文献１参照）。このバックロードホーン型スピーカボックスでは、複数の中間板が積層されることにより、スピーカの背面から出力される音が伝達する音道を画成する屈曲壁が形成されている。
【先行技術文献】
【特許文献】
【０００４】
【特許文献１】特開２００３−２０４５８６号公報
【発明の概要】
【発明が解決しようとする課題】
【０００５】
しかしながら、特許文献１に記載されたバックロードホーン型スピーカボックスでは、複数の中間板を個別に形成する工程と複数の中間板を積層させる工程とが必要となるため、その分、製造が難しく製造効率が低かった。その他、音質を高めるための理論に基づいて音道が設計されたバックロードホーン型スピーカボックスも提供されているが、いずれも製造工程が複雑であり量産性が低い。従って、この種のバックロードホーン型スピーカの製造方法として、製造効率の向上が要請されていた。
【０００６】
本発明は、上記事由に鑑みてなされたものであり、製造効率の高いバックロードホーン型スピーカボックスの製造方法およびバックロードホーン型スピーカボックスを提供することを目的とする。
【課題を解決するための手段】
【０００７】
上記目的を達成するために、本発明に係るバックロードホーン型スピーカボックスの製造方法は、
第１開口部が設けられるとともに内部に音室が設けられ前記第１開口部に装着されたスピーカを支持するスピーカ支持部と、第２開口部が設けられるとともに内部に音道が設けられ前記スピーカ支持部と連続一体に形成された本体部と、を備え、前記音道の中心軸が１つの仮想平面内に位置するバックロードホーン型スピーカボックスの製造方法であって、
前記スピーカ支持部および前記本体部を前記仮想平面で分割したときの一方に相当する第１基材を形成する工程と、
前記スピーカ支持部および前記本体部を前記仮想平面で分割したときの他方に相当する第２基材を形成する工程と、
前記第１基材と前記第２基材とを貼り合わせる工程と、を含む。
【発明の効果】
【０００８】
本発明によれば、スピーカ支持部および本体部を仮想平面で分割したときの一方に相当する第１基材を形成する工程と、スピーカ支持部および本体部を仮想平面で分割したときの他方に相当する第２基材を形成する工程と、第１基材と第２基材とを貼り合わせる工程と、を行うだけで、バックロードホーン型スピーカボックスを製造することができる。従って、例えば複数の中間板を形成してからそれらを積層してなるバックロードホーン型スピーカボックスに比べて製造効率を高めることができる。
【図面の簡単な説明】
【０００９】
【図１】本発明の実施の形態に係るスピーカシステムの斜視図である。
【図２】実施の形態に係るスピーカシステムを示し、（Ａ）は正面図、（Ｂ）は側面図である。
【図３】実施の形態に係るスピーカシステムの図１のＡ−Ａ線における断面矢視図である。
【図４】実施の形態に係るスピーカシステムの図３のＢ−Ｂ線における断面矢視図である。
【図５】（Ａ）は実施の形態に係るスピーカから出力される再生音の周波数特性を示す図であり、（Ｂ）は実施の形態に係るスピーカシステムから出力されるトータルの再生音の周波数特性を示す図である。
【図６】変形例に係るスピーカシステムの断面図である。
【図７】変形例に係るスピーカシステムの断面図である。
【図８】変形例に係るスピーカシステムの断面図である。
【発明を実施するための形態】
【００１０】
以下、本発明の実施の形態に係るバックロードホーン型スピーカボックスについて図面を参照して詳細に説明する。本実施の形態に係るバックロードホーン型スピーカボックスは、いわゆる量産一体型である。このバックロードホーン型スピーカボックスは、セラミック、ガラス、金属、酸化物などの無機物を主成分とする材料から形成されているものであり、木製のバックロードホーン型スピーカボックスに比べて比重が大きく、弾性率が大きいので、スピーカの振動による共振振動の発生、スピーカからの振動伝達等を抑制することができるので、スピーカから放射される音の音質を高めることができるものである。
【００１１】
図１に示すように、本実施の形態に係るスピーカシステムのバックロードホーン型スピーカボックス１は、２つの開口部１１ａ、１２ａが設けられたエンクロージャ１４を備える。開口部１１ａは、ねじ止め、接着等の方法で平面視円形状のスピーカ１３が装着される第１開口部である。また、開口部１２ａは、後述する音道１２に連通する第２開口部である。エンクロージャ１４は、図２（Ａ）および（Ｂ）に示すように、スピーカ支持部１４２と、本体部１４１と、を備える。そして、スピーカ支持部１４２および本体部１４１それぞれの外壁は、互いに連続する湾曲面を有し、Ｒ２.５ｍｍ以下の角をもたず、流線形状をしている。また、スピーカ支持部１４２は、支持部本体１４２ａと、支持部本体１４２ａから＋Ｙ方向へ突出する円柱状の突出部１４２ｂと、を有する。突出部１４２ｂは、その中心軸が略Ｙ軸方向に沿うように配置されており、本体部１４１前面のくぼんだ箇所より３ｃｍ以上突出している。ここで、開口部１１ａは、突出部１４２ｂの先端部に設けられている。ここで、スピーカ支持部１４２にスピーカ１３が装着された状態でスピーカ１３の中心軸Ｊ０に沿った方向、即ち、＋Ｙ方向から見た場合において、突出部１４２ｂの面積が、スピーカ１３の面積以上且つスピーカ１３の面積の２倍以下に設定されている。具体的には、図２（Ａ）に示すように、突出部１４２ｂの直径Ｒ２は、スピーカ１３の直径Ｒ１よりも長く且つスピーカ１３の直径Ｒ１の約１．４倍以下の長さに設定されている。
【００１２】
スピーカ支持部１４２は、図３に示すように、開口部１１ａが設けられるとともに内部に音室（空気室とも言う）１１が設けられ、開口部１１ａに装着されたスピーカ１３を支持する。音室１１は、スピーカ１３が外部からの電気入力によってスピーカ１３の振動板（図示せず）が振動しやすく、第１サブ音道１２２に音のエネルギーが伝達しやすい体積を有する。音室１１の内側には、スピーカ１３の一部であるスピーカ１３の後部が配置されている。本体部１４１は、開口部１２ａが設けられるとともに内部に音道１２が設けられ、スピーカ支持部１４２と連続一体に形成されている。音道１２は、音室１１に連通しスピーカ１３の背面である−Ｙ方向側から音室１１内に伝達した音を開口部１２ａへ導く。開口部１２ａは本体部１４１前面のくぼんだ箇所より３ｃｍ以上突出している。また、音道１２は、音室１１側に位置する第１サブ音道１２２と、蛇行する形で延在し、その延長方向における一端部で第１サブ音道１２２に連通し他端部で開口部１２ａに連通する第２サブ音道１２１と、を有する。第１サブ音道１２２は、その延長方向、即ち、第１サブ音道１２２の中心軸Ｊ１に直交する断面の形状が実質的に一定、即ち、略一定である。第２サブ音道１２１のその延長方向、即ち、第２サブ音道１２１の中心軸Ｊ２に直交する断面の面積は、第１サブ音道１２２に連通する一端部から開口部１２ａに連通する他端部に向けて漸増している。また、第２サブ音道１２１の折り返し部分Ｐ１１、Ｐ１２、Ｐ１３、Ｐ１４、Ｐ１５の内壁は、第２サブ音道１２１の中心軸Ｊ２の延長方向に沿って湾曲している。また、折り返し部分Ｐ１１、Ｐ１２、Ｐ１３、Ｐ１４、Ｐ１５においても、音道１２の面積が同じか漸増するように構成されている。ここで、音道１２の面積の漸増のルールはエクスポーネンシャル、２次関数、ベッセル関数等である。
【００１３】
第１サブ音道１２２のその延長方向に直交する断面の形状および第２サブ音道１２１のその延長方向に直交する断面の形状は、楕円形を採用することができるが、ここでは図４に示すように、楕円形状を例示する。第１サブ音道１２２の断面のＺ軸方向の最長寸法Ｈ１に対するＸ軸方向の長さの最長寸法Ｗ１の比率Ｗ１／Ｈ１は、例えば１．１以上２．５以下の範囲が好ましく、さらに１．３以上２．０以下の範囲が好ましい。ここでは、１．７程度に設定される。また、第２サブ音道１２１の各断面のＺ軸方向の最長寸法Ｈ２、Ｈ３、Ｈ４、Ｈ５、Ｈ６に対するＸ軸方向の長さの最長寸法Ｗ２、Ｗ３、Ｗ４、Ｗ５、Ｗ６の比率Ｗ２／Ｈ２、Ｗ３／Ｈ３、Ｗ４／Ｈ４、Ｗ５／Ｈ５、Ｗ６／Ｈ６は、例えば１．１以上３．０以下の範囲が好ましく、更に、１．３以上２．５以下の範囲が好ましく、互いに異なっている。即ち、第２サブ音道１２１のその延長方向の少なくとも２箇所におけるその延長方向に直交する断面の形状は、互いに異なっている。例えば、前述の比率Ｗ２／Ｈ２、Ｗ３／Ｈ３、Ｗ４／Ｈ４、Ｗ５／Ｈ５、Ｗ６／Ｈ６は、それぞれ、１．７、１．８６、２．０５、２．０７に設定される。第１サブ音道１２２と第２サブ音道１２１の接続は連続が好ましいので比率Ｗ１／Ｈ１とＷ２／Ｈ２は同じ値に設定している。
【００１４】
また、スピーカ支持部１４２および本体部１４１は、それぞれ、無機物を主成分とし且つ多孔質であるとともに、比重が１．７以上２．５以下である材料から形成されている。この種の材料は、例えば主成分に無機フィラー、有機フィラーおよび／または有機材料を混合することにより形成される。更に、音道１２の内壁には、第１サブ音道１２２、第２サブ音道１２１には樹脂被膜が形成されている。有機系塗料としてはアクリル合成樹脂、ウレタン合成樹脂、シリコーン合成樹脂、フッ素合成樹脂等が挙げられるが、例えば、ウルシオールを主成分とする天然樹脂（漆）を含む樹脂被膜（図示せず）が形成されている。また、スピーカ支持部１４２および本体部１４１それぞれの外壁全体にも、アクリル合成樹脂、ウレタン合成樹脂、シリコーン合成樹脂、フッ素合成樹脂等の有機系塗料で塗装されているが、例えば、ウルシオールを主成分とする天然樹脂（漆）を含む樹脂被膜（図示せず）が形成されている。これにより、エンクロージャ１４の外壁による反射、回折などの音響特性が改善されるとともに、光沢のある見栄えのする外観となっている。
【００１５】
次に、本実施の形態に係るバックロードホーン型スピーカボックスの製造方法について説明する。まず、スピーカ支持部１４２および本体部１４１を有するエンクロージャ１４を、図２（Ａ）および図４に示すような仮想平面ＶＰＬ１で分割したときの一方に相当する第１基材を形成する工程を行う。この第１基材を形成する工程では、第１基材の形状と同一の形状を有する空洞が形成された型を準備し、その型の空洞に無機物を主成分とする液体状の材料を流し込む。そして、液体状の材料を乾燥させた後、型を取り外すことにより、第１基材を形成する。
【００１６】
次に、エンクロージャ１４を前述の仮想平面ＶＰＬ１で分割したときの他方に相当する第２基材を形成する工程を行う。この第２基材を形成する工程では、前述の第１基材を形成する工程と同様の方法により第２基材を形成する。続いて、第１基材と第２基材とを貼り合わせる工程を行う。この工程では、まず、第１基材および第２基材における、エンクロージャ１４を仮想平面ＶＰＬ１で分割して得られる断面に相当する端面に接着剤を塗布する。接着剤としては、例えば前述の無機物を主成分とする液体状の材料を採用することができる。そして、第１基材の前述の端面と第２基材の前述の端面とを当接させた状態で接着剤を乾燥させる。その後、エンクロージャ１４の音道１２の内壁全体とエンクロージャ１４の外壁全体とにウルシオールを主成分とする天然樹脂塗料を塗布してから乾燥させることにより、樹脂被膜を形成する。
【００１７】
以上説明したように、本実施の形態に係るバックロードホーン型スピーカボックスの製造方法では、スピーカ支持部および本体部を仮想平面で分割したときの一方に相当する第１基材を形成する工程と、スピーカ支持部および本体部を仮想平面で分割したときの他方に相当する第２基材を形成する工程と、第１基材と第２基材とを貼り合わせる工程と、を含行うだけで、バックロードホーン型スピーカボックスを製造することができる。従って、例えば複数の中間板を形成してからそれらを積層してなるバックロードホーン型スピーカボックスに比べて製造効率を高めることができる。
【００１８】
とこで、前述の特許文献１に記載されたバックロードホーン型スピーカボックスでは、本体が木製板材の組み合わせで製作されているため、音道には必然的に角が構成され、上記角の部分では音の伝達が効率良く行われず、また必然的に平行面が形成されてしまうので、音の共振、うなり等が発生し、スピーカ背面から出力した音は音道により特定の音域が減じられ、また他の音域が加算されて、その周波数特性が変化してしまい、原音とも異なった再生音が音道から出力され、スピーカ前面から出力された音と加算された再生音は原音とは異なった音になってしまう。また、木製板材では質量が小さいので、スピーカボックスが振動して雑音を出すが、その雑音を十分に低減できるだけの減衰特性が無いので音質が低下してしまう虞がある。
【００１９】
これに対して、本実施の形態に係るバックロードホーン型スピーカボックス１によれば、音道１２が、第１サブ音道１２２と第２サブ音道１２１とを有する。そして、第２サブ音道１２１の折り返し部分Ｐ１１、Ｐ１２、Ｐ１３、Ｐ１４、Ｐ１５の内壁が、第２サブ音道１２１の中心軸Ｊ２の延長方向に沿って湾曲し、第１サブ音道１２２の断面形状および第２サブ音道１２１の断面形状が、楕円形状である。これにより、スピーカ１３の背面から開口部１２ａへ向かって伝播する音である低・中音域の音を効率よく伝達できる。すなわち、第２サブ音道１２１の内壁において、第２サブ音道１２１の延長方向におけるスピーカ１３側へ向かう方向へ反射され、共振する成分を低減することができる。従って、音の共振、うなり等の発生を抑制することができるので、スピーカ１３からの音と開口部１２ａからの音を加算できるので、スピーカシステムから放射される音の音質を高めることができる。また、エンクロージャ１４は、突出部１４２ｂの面積がスピーカ１３の面積以上且つスピーカ１３の面積の２倍以下に設定されており、エンクロージャ１４全体は流線形であるので、音の回折や反射を極力なくすことができ、原音再生を行うことができる。また、エンクロージャ１４の突出部１４２ｂおよび開口部１２ａはエンクロージャ１４のくぼんだ所よりも３ｃｍ以上突出しているので、さらに音の回折や反射を極力なくすことができる。図５（Ａ）はスピーカ１３から出力される再生音の周波数特性であり、中・高音域は再生されるが低音域の再生はレベルが低いことが分かる。図５（Ｂ）はスピーカシステムから出力されるトータルの再生音の周波数特性であり、スピーカ１３から出力される音と開口部１２ａから出力される音が加算されて広帯域再生を実現している。
【００２０】
また、本実施の形態に係る第２サブ音道１２１のその延長方向の少なくとも２箇所におけるその延長方向に直交する断面の形状は、互いに異なっている。これにより、第２サブ音道１２１における共振ピークが分散されるので、音質を高めることができる。
【００２１】
更に、本実施の形態に係るスピーカ支持部１４２および本体部１４１それぞれの外壁は、互いに連続する湾曲面を有する。これにより、スピーカ１３または開口部１２ａから放射されスピーカ支持部１４２、本体部１４１の外壁に到達した音が、それらの外壁で等方的に反射される。これにより、バックロードホーン型スピーカボックス１から放射される音の放射方向の偏りを低減することができる。
【００２２】
また、本実施の形態に係るスピーカ支持部１４２は、支持部本体１４２ａと、支持部本体１４２ａから突出する突出部１４２ｂと、を有し、スピーカ１３が装着される開口部１１ａが、突出部１４２ｂの先端部に設けられている。そして、スピーカ支持部１４２にスピーカ１３が装着された状態で＋Ｙ方向側から見た場合において、突出部１４２ｂの面積が、スピーカ１３の面積以上且つスピーカ１３の面積の２倍以下である。これにより、スピーカ１３から＋Ｙ方向側へ放射される音の突出部１４２ｂの先端部におけるスピーカ１３の外周部での反射が抑制されるので、スピーカ１３から放射される音の放射方向の偏りを低減することができる。
【００２３】
更に、本実施の形態に係るエンクロージャ１４は、多孔質であるとともに、比重が１．７以上２．５以下である材料から形成されている。これにより、スピーカ１３の振動がエンクロージャに伝播しにくくなり、また伝播した振動は減衰するので、スピーカ１３から放射される音は原音に忠実な再生能力を得ることができるので、極めて音質を高めることができる。
【００２４】
以上、本発明の実施の形態について説明したが、本発明は実施の形態の構成に限定されるものではない。例えば、図７に示すバックロードホーン型スピーカボックス２のように、Ｚ軸方向に沿って延在する第１サブ音道２１２２と、Ｚ軸方向に沿って蛇行しながら−Ｙ方向へ延在する部分を有する第２サブ音道２１２１と、を有する音道２０１２が設けられたものであってもよい。本変形例に係るバックロードホーン型スピーカボックス２は、実施の形態に係るバックロードホーン型スピーカボックス１と同様に、２つの開口部２０１１ａ、２０１２ａが設けられたエンクロージャ２０１４を備える。そして、エンクロージャ２０１４は、スピーカ支持部２１４２と、本体部２１４１と、を備える。
【００２５】
また、例えば図７に示すバックロードホーン型スピーカボックス３のように、エンクロージャ３０１４が、長尺のホーン部３１４３を有するものであってもよい。また、エンクロージャ３０１４は、他に、スピーカ支持部３１４２と、本体部３１４１と、を備える。このバックロードホーン型スピーカボックス３は、例えば、ホーン部３１４３が本体部３１４１の鉛直下方側に位置する姿勢で使用される。
【００２６】
スピーカ支持部３１４２は、開口部３０１１ａが設けられ且つ内部に音室３０１１が設けられるとともに、開口部３０１１ａに装着されたスピーカ１３を支持する。本体部３１４１は、内部に第１音道３０１２が設けられ、スピーカ支持部３１４２と連続一体に形成されている。第１音道３０１２は、音室３０１１に連通し、スピーカ１３から音室３０１１内に伝達した音が導入される。スピーカ支持部３１４２、本体部３１４１およびホーン部３１４３は、それぞれ、実施の形態と同様に、無機物を主成分とし且つ多孔質であるとともに、比重が１．７以上２．５以下である材料から連続一体に形成されている。なお、ホーン部３１４３は、スピーカ支持部３１４２および本体部３１４１と異なる材料から形成されていてもよく、例えば金属から形成されていてもよい。
【００２７】
第１音道３０１２は、音室３０１１側に延在し延長方向に直交する断面の形状が実質的に一定である第１サブ音道３１２２と、蛇行する形で延在し、延長方向における一端部で第１サブ音道３１２２に連通し他端部で第２音道３１２３に連通する第２サブ音道３１２１と、を有する。第２サブ音道３１２１は、第１サブ音道３１２２側の一端部から第２音道３１２３側の他端部に向けて延長方向に直交する断面の面積が漸増している。そして、第２サブ音道３１２１の内壁の一部が、第２サブ音道３１２１の中心軸の延長方向に沿って湾曲している。また、第１サブ音道３１２２の延長方向に直交する断面の形状および第２サブ音道３１２１の延長方向に直交する断面の形状は、それぞれ、楕円形状である。
【００２８】
ホーン部３１４３は、長手方向の一端部が本体部３１４１に接続されるとともに、他端部に開口部３１２３ａが設けられている。また、ホーン部３１４３の本体部３１４１側とは反対側の端部３１４３ａは、ホーン部３１４３の長手方向に直交する方向へ張り出した形状を有する。そして、ホーン部３１４３の端部３１４３ａには、切欠部３１４３ｂ、３１４３ｃ、３１４３ｄが形成されている。ホーン部３１４３の内部には、一端部において本体部３１４１の第１音道３０１２に連通し、他端部が開口部３１２３ａに連通し、第１音道３０１２から導入される音を開口部３１２３ａへ導く第２音道３１２３が設けられている。この第２音道３１２３は、本体部３１４１側から開口部３１２３ａ側に向けて第２音道３１２３の延長方向に直交する断面の面積が漸増している。また、ホーン部３１４３の長さは、スピーカ１３からホーン部３１４３の端部３１４３ａまでの間の距離が１ｍ以上であることが好ましい。これにより、低音域の音と中高音域の音との干渉に起因した共振を抑制し、低音域の音が増強されいわゆる臨場感を高めることができる。
【００２９】
本構成によれば、本体部３１４１内部の第１音道３０１２において、スピーカ１３から放射される中高音域に存在するいわゆる雑味音を吸収し、ホーン部３１４３内部の第２音道３１２３において、スピーカ１３から放射される低音域の音を増強することができる。これにより、いわゆる臨場感を高めることができる。
【００３０】
また、例えば図８に示すバックロードホーン型スピーカボックス４のように、長尺のエンクロージャ４０１４を備えるものであってもよい。また、エンクロージャ４０１４は、スピーカ支持部４１４２と、本体部４１４１と、を備える。このバックロードホーン型スピーカボックス４は、例えば、長手方向が鉛直方向に沿うような姿勢で使用される。
【００３１】
スピーカ支持部４１４２は、開口部４０１１ａが設けられ且つ内部に音室４０１１が設けられるとともに、開口部４０１１ａに装着されたスピーカ１３を支持する。本体部４１４１は、内部に音道４０１２が設けられ、スピーカ支持部４１４２と連続一体に形成されている。音道４０１２は、音室４０１１に連通し、スピーカ１３から音室４０１１内に伝達した音が導入される。スピーカ支持部４１４２および本体部４１４１は、それぞれ、実施の形態と同様に、無機物を主成分とし且つ多孔質であるとともに、比重が１．７以上２．５以下である材料から形成されている。
【００３２】
音道４０１２は、エンクロージャ４０１４の長手方向に沿って延在する第１サブ音道４１２２と、蛇行する形で延在し、延長方向における一端部で第１サブ音道４１２２に連通し他端部で開口部４１２１ａに連通する第２サブ音道４１２１と、を有する。第２サブ音道４１２１は、第１サブ音道４１２２側の一端部から開口部４１２１ａ側の他端部に向けて延長方向に直交する断面の面積が漸増している。そして、第２サブ音道４１２１の内壁の一部が、第２サブ音道４１２１の中心軸の延長方向に沿って湾曲している。また、第１サブ音道４１２２の延長方向に直交する断面の形状および第２サブ音道４１２１の延長方向に直交する断面の形状は、それぞれ、楕円形状である。また、エンクロージャ４０１４におけるスピーカ支持部４１４２側とは反対側の端部４１４１ａは、エンクロージャ４０１４の長手方向に直交する方向へ張り出した形状を有する。そして、エンクロージャ４０１４の端部４１４１ａの側方には、切欠部４１４１ｂ、４１４１ｃ、４１４１ｄが形成されている。このエンクロージャ４０１４の長さは、スピーカ１３からエンクロージャ４０１４の端部４１４１ａまでの間の距離が１ｍ以上であることが好ましい。
【００３３】
本構成によれば、エンクロージャ４０１４内部の音道４０１２全体において、スピーカ１３から放射される中高音域に存在するいわゆる雑味音を吸収するとともに、スピーカ１３から放射される低音域の音を増強することができる。これにより、いわゆる臨場感を高めることができる。
【００３４】
以上、本発明の実施の形態および変形例について説明したが、本発明はこれらに限定されるものではない。本発明は、実施の形態及び変形例が適宜組み合わされたもの、それに適宜変更が加えられたものを含む。
【産業上の利用可能性】
【００３５】
本発明は、スピーカの発する低音域の音を前方へ効率良く放射させるスピーカボックスとして広く適用可能である。
【符号の説明】
【００３６】
１，２，３，４：バックロードホーン型スピーカボックス、１１，２０１１，３０１１，４０１１：音室、１１ａ，１２ａ，２０１１ａ，２０１２ａ，３１２３ａ，４１２１ａ：開口部、１２，２０１２，４０１２：音道、１３：スピーカ、１４，２０１４，３０１４，４０１４：エンクロージャ、１２１，２１２１，３１２１，４１２１：第２サブ音道、１２２，２１２２，３１２２，４１２２：第１サブ音道、１４１，２１４１：本体部、１４２，２１４２：スピーカ支持部、１４２ａ：支持部本体、１４２ｂ：突出部、３１２３：ホーン部、３１４３ａ，４１４１ａ：端部、３１４３ｂ、３１４３ｃ、３１４３ｄ，４１４１ｂ，４１４１ｃ，４１４１ｄ：切欠部Ｊ０，Ｊ１，Ｊ２：中心軸、Ｐ１１,Ｐ１２,Ｐ１３,Ｐ１４,Ｐ１５：折り返し部分
【図１】
2020195133.tif 000003
【図２】
2020195133.tif 000004
【図３】
2020195133.tif 000005
【図４】
2020195133.tif 000006
【図５】
2020195133.tif 000007
【図６】
2020195133.tif 000008
【図７】
2020195133.tif 000009
【図８】
2020195133.tif 000010